(57)【要約】【課題】自発光媒体に表示された原稿を光学的に読み取った場合に、適切な画像を得ることができるようにする。【解決手段】画像形成装置１によれば、操作表示部２０により自発光媒体が選択された場合に、制御部１０は、画像読取部５０に光源１２１を消灯させて自発光媒体に表示された原稿の画像の読み取りを行わせ、地領域抽出部６０２は、画像読取部５０により取得された画像データから自発光媒体の地の領域を抽出し、階調変換部６０５は、地領域抽出部６０２により抽出された地の領域を白に変換する。【選択図】図３
2014204272.tif 000002
【特許請求の範囲】
【請求項１】
原稿に光を照射する光源を有し、前記光源を点灯又は消灯させて原稿の画像を読み取り画像データを取得する画像読取部と、
原稿が記録された媒体が、発光することにより表示をする自発光媒体であることを選択するための操作部と、
前記操作部により自発光媒体であることが選択された場合に、前記画像読取部に前記光源を消灯させて前記自発光媒体に表示された原稿の画像の読み取りを行わせる制御部と、
前記操作部により自発光媒体であることが選択された場合に、前記画像読取部により取得された画像データから、前記原稿の地の領域を抽出する地領域抽出部と、
前記地領域抽出部により抽出された前記地の領域を白に変換する階調変換部と、
を備える画像読取装置。
【請求項２】
前記画像読取部により取得された画像データから前記自発光媒体の領域に相当する有効画像領域を抽出する有効画像領域抽出部を備え、
前記地領域抽出部は、前記有効画像領域抽出部により抽出された有効画像領域から前記地の領域を抽出する請求項１に記載の画像読取装置。
【請求項３】
前記画像読取部は、原稿を載置するためのプラテンガラスと、読取時に前記プラテンガラスを覆う上蓋とを有し、
前記上蓋の開閉状態を検知する開閉検知部を備え、
前記有効画像領域抽出部は、
前記開閉検知部により前記上蓋が閉じていると検知された状態で前記画像読取部により原稿の画像の読み取りが行われた場合は、前記画像読取部により取得された画像データに黒以外の領域が予め定められた基準面積以上連続して存在する場合に、当該黒以外の領域を前記有効画像領域として抽出し、前記黒以外の領域が予め定められた基準面積以上連続して存在しない場合には、前記黒以外の領域を包括する領域を前記有効画像領域として抽出する請求項２に記載の画像読取装置。
【請求項４】
前記画像読取部は、原稿を載置するためのプラテンガラスと、読取時に前記プラテンガラスを覆う上蓋とを有し、
前記上蓋の開閉状態を検知する開閉検知部を備え、
前記有効画像領域抽出部は、
前記開閉検知部により前記上蓋が開いていると検知された状態で前記画像読取部により原稿の画像の読み取りが行われた場合は、前記画像読取部により取得された画像データに黒で囲まれた領域が予め定められた基準面積以上存在する場合に、当該黒で囲まれた領域を前記有効画像領域として抽出し、前記黒で囲まれた領域が予め定められた基準面積以上存在しない場合には、黒の領域及び当該黒で囲まれた領域を前記有効画像領域として抽出する請求項２に記載の画像読取装置。
【請求項５】
前記階調変換部は、更に、前記原稿の画像中の最高濃度が黒となるように前記画像データの前記抽出された地の領域以外の領域の階調変換を行う請求項１〜４の何れか一項に記載の画像読取装置。
【請求項６】
前記階調変換部は、更に、白に変換する前の前記地の領域の濃度に対して前記原稿の画像中の地の領域以外の領域の濃度が低い場合は、前記地の領域と、前記地の領域以外の領域とで明るさが反転するように階調変換を行った上で前記地の領域を白に変換する請求項１〜５の何れか一項に記載の画像読取装置。
【請求項７】
前記画像読取部により読み取られた原稿の画像から指紋領域を抽出する指紋領域抽出部と、
前記指紋領域抽出部により抽出された指紋領域を、前記地の領域の上の指紋領域と、地の領域以外の領域の上の指紋領域とに分離し、前記地の領域の上の指紋領域の濃度を前記地の領域の濃度に変換し、前記地の領域以外の領域の上の指紋領域に指紋汚れによる濃度変化分の濃度補正を実施する指紋領域補正部と、
を備える請求項１〜６の何れか一項に記載の画像読取装置。
【請求項８】
請求項１〜７の何れか一項に記載の画像読取装置と、
前記画像読取装置によって読み取られた画像データに基づいて用紙に画像を形成する画像形成部と、
を備える画像形成装置。
【発明の詳細な説明】
【技術分野】
【０００１】
本発明は、画像読取装置及び画像形成装置に関する。
【背景技術】
【０００２】
従来の画像形成装置のコピー機能やスキャナー機能は、紙などの反射型媒体に記録されている原稿を対象としており、スキャナーの光源から反射型媒体に光を照射しその反射光を受光して原稿の画像を読み取っている。
一方、スマートフォンやタブレット端末等の液晶画面のような自発光媒体に表示されている原稿をコピー又はスキャンしたいという要望がある。しかし、自発光媒体に対して反射型媒体を対象としたコピーやスキャンを実施すると、照射した光の反射光と自発光媒体の発光が混ざってしまい、うまく原稿の画像を読み取ることができない。
【０００３】
そこで、このような問題を解決するために、例えば、特許文献１には、読取対象のディスプレイが透過型の場合は、照明光源を点灯せずにスキャンを行うカラーイメージスキャナが記載されている。また、特許文献２には、読取対象の薄型表示装置の発光種類（非発光型か、発光型か、非発光かつ光源を有するか）に応じて読取光源の光量をゼロから最大値までの何れかに設定して薄型表示装置の画像を読み取る複写機が記載されている。
【先行技術文献】
【特許文献】
【０００４】
【特許文献１】特開平７−１４３３４０号公報
【特許文献２】特開２００４−２２２２７５号公報
【発明の概要】
【発明が解決しようとする課題】
【０００５】
ところで、自発光媒体に表示された原稿の地（原稿が表示された画面上の文字や図画等が載っていないベタな領域）の色は薄いグレーである場合が多い。また、自発光媒体に表示された、地の色が白の原稿をスキャナーの光源を消して読み取った場合でも、ＣＣＤ（Charge Coupled Devices）等の受光素子の電荷がｍａｘまでいかずに白として読み取られない場合がある。このような状態で読み取られた画像データに基づいて印刷を行うと、印刷物の地の色が白とならず、印刷物のダイナミックレンジが狭くなってしまうという問題がある。
【０００６】
また、自発光媒体に表示された原稿中の黒をスキャナーで読み取った場合、スキャナー側で完全な黒と判定できない場合もあり、同様に印刷物のダイナミックレンジが狭くなってしまうという問題がある。
【０００７】
また、自発光媒体は、定型サイズが多い反射型媒体とは異なり、ほとんどが非定型サイズである。そのため、画像形成装置において自発光媒体の有効画像領域を適切に検知することができないという問題がある。
【０００８】
更に、自発光媒体は指紋汚れがついていることが多く、そのままコピーすると指紋の汚れが印刷物に写ってしまうという問題がある。
【０００９】
本発明の課題は、自発光媒体に表示された原稿を光学的に読み取った場合に、適切な画像が得られるようにすることである。
【課題を解決するための手段】
【００１０】
上記課題を解決するため、請求項１に記載の発明の画像読取装置は、
原稿に光を照射する光源を有し、前記光源を点灯又は消灯させて原稿の画像を読み取り画像データを取得する画像読取部と、
原稿が記録された媒体が、発光することにより表示をする自発光媒体であることを選択するための操作部と、
前記操作部により自発光媒体であることが選択された場合に、前記画像読取部に前記光源を消灯させて前記自発光媒体に表示された原稿の画像の読み取りを行わせる制御部と、
前記操作部により自発光媒体であることが選択された場合に、前記画像読取部により取得された画像データから、前記原稿の地の領域を抽出する地領域抽出部と、
前記地領域抽出部により抽出された前記地の領域を白に変換する階調変換部と、
を備える。
【００１１】
請求項２に記載の発明は、請求項１に記載の発明において、
前記画像読取部により取得された画像データから前記自発光媒体の領域に相当する有効画像領域を抽出する有効画像領域抽出部を備え、
前記地領域抽出部は、前記有効画像領域抽出部により抽出された有効画像領域から前記地の領域を抽出する。
【００１２】
請求項３に記載の発明は、請求項２に記載の発明において、
前記画像読取部は、原稿を載置するためのプラテンガラスと、読取時に前記プラテンガラスを覆う上蓋とを有し、
前記上蓋の開閉状態を検知する開閉検知部を備え、
前記有効画像領域抽出部は、
前記開閉検知部により前記上蓋が閉じていると検知された状態で前記画像読取部により原稿の画像の読み取りが行われた場合は、前記画像読取部により取得された画像データに黒以外の領域が予め定められた基準面積以上連続して存在する場合に、当該黒以外の領域を前記有効画像領域として抽出し、前記黒以外の領域が予め定められた基準面積以上連続して存在しない場合には、前記黒以外の領域を包括する領域を前記有効画像領域として抽出する。
【００１３】
請求項４に記載の発明は、請求項２に記載の発明において、
前記画像読取部は、原稿を載置するためのプラテンガラスと、読取時に前記プラテンガラスを覆う上蓋とを有し、
前記上蓋の開閉状態を検知する開閉検知部を備え、
前記有効画像領域抽出部は、
前記開閉検知部により前記上蓋が開いていると検知された状態で前記画像読取部により原稿の画像の読み取りが行われた場合は、前記画像読取部により取得された画像データに黒で囲まれた領域が予め定められた基準面積以上存在する場合に、当該黒で囲まれた領域を前記有効画像領域として抽出し、前記黒で囲まれた領域が予め定められた基準面積以上存在しない場合には、黒の領域及び当該黒で囲まれた領域を前記有効画像領域として抽出する。
【００１４】
請求項５に記載の発明は、請求項１〜４の何れか一項に記載の発明において、
前記階調変換部は、更に、前記原稿の画像中の最高濃度が黒となるように前記画像データの前記抽出された地の領域以外の領域の階調変換を行う。
【００１５】
請求項６に記載の発明は、請求項１〜５の何れか一項に記載の発明において、
前記階調変換部は、更に、白に変換する前の前記地の領域の濃度に対して前記原稿の画像中の地の領域以外の領域の濃度が低い場合は、前記地の領域と、前記地の領域以外の領域とで明るさが反転するように階調変換を行った上で前記地の領域を白に変換する。
【００１６】
請求項７に記載の発明は、請求項１〜６の何れか一項に記載の発明において、
前記画像読取部により読み取られた原稿の画像から指紋領域を抽出する指紋領域抽出部と、
前記指紋領域抽出部により抽出された指紋領域を、前記地の領域の上の指紋領域と、地の領域以外の領域の上の指紋領域とに分離し、前記地の領域の上の指紋領域の濃度を前記地の領域の濃度に変換し、前記地の領域以外の領域の上の指紋領域に指紋汚れによる濃度変化分の濃度補正を実施する指紋領域補正部と、
を備える。
【００１７】
請求項８に記載の発明の画像形成装置は、
請求項１〜７の何れか一項に記載の画像読取装置と、
前記画像読取装置によって読み取られた画像データに基づいて用紙に画像を形成する画像形成部と、
を備える。
【発明の効果】
【００１８】
本発明によれば、自発光媒体に表示された原稿を光学的に読み取った場合に、適切な画像を得ることが可能となる。
【図面の簡単な説明】
【００１９】
【図１】画像形成装置の機能的構成を示すブロック図である。
【図２】画像形成装置の概略構成例を示す図である。
【図３】図１の制御部により実行されるコピー制御処理を示すフローチャートである。
【図４】原稿が記録された媒体の種類（自発光媒体か反射型媒体か）、上蓋１１ｂの開閉状態、原稿が白抜きであるか否か、の各条件の組み合わせを変えてスキャナー部１２により読み取りを行ったときにスキャナー部１２から画像処理部６０に入力される画像データの一覧を示す図である。
【図５】図３のステップＳ３において実行される有効画像領域抽出の処理を示すフローチャートである。
【図６】図３のステップＳ５において実行される指紋領域抽出の処理を示すフローチャートである。
【図７】図３のステップＳ６において実行される指紋領域補正の処理を示すフローチャートである。
【発明を実施するための形態】
【００２０】
以下、本発明の実施の形態における画像形成装置の構成及び動作について、図面を用いて詳細に説明する。
【００２１】
図１に、画像形成装置１の機能ブロック図を示す。図２に、画像形成装置１内部の概略構成を示す。
図１に示すように、画像形成装置１は、制御部１０、操作表示部２０、記憶部３０、通信部４０、画像読取部５０、画像処理部６０、画像形成部７０等を備えて構成され、各部はバス８０を介して接続されている。
【００２２】
制御部１０は、ＣＰＵ（Central Processing Unit）、ＲＡＭ（Random Access Memory
）等により構成される。制御部１０のＣＰＵは、記憶部３０に記憶されているシステムプログラムや各種処理プログラムを読み出してＲＡＭに展開し、展開されたプログラムに従って、画像形成装置１各部の動作を集中制御する。
【００２３】
制御部１０は、コピーモードを含む複数の動作モードで動作可能である。コピーモードにおいて、制御部１０は、記憶部３０に記憶されているプログラムとの協働により、後述するコピー制御処理（図３参照）を実行する。
【００２４】
操作表示部２０は、ＬＣＤ（Liquid Crystal Display）等により構成され、制御部１０から入力される表示信号の指示に従って表示画面上に各種操作ボタンや装置の状態表示、各機能の動作状況等の表示を行う。ＬＣＤの表示画面上は、透明電極を格子状に配置して構成された感圧式（抵抗膜圧式）のタッチパネルに覆われており、手指やタッチペン等で押下された力点のＸＹ座標を電圧値で検出し、検出された位置信号を操作信号として制御部１０に出力する。また、操作表示部２０は、数字ボタン、スタートボタン等の各種操作ボタンを備え、ボタン操作による操作信号を制御部１０に出力する。
【００２５】
記憶部３０は、不揮発メモリー等により構成され、画像形成装置１で実行可能なシステムプログラム、当該システムプログラムで実行可能な各種処理プログラム、これら各種処理プログラムを実行する際に使用されるデータ、制御部１０によって演算処理された処理結果のデータ等を記憶する。
【００２６】
通信部４０は、モデム、ＬＡＮアダプターやルーター等によって構成され、ＬＡＮ（Local Area Network）、ＷＡＮ（Wide Area Network）等の通信ネットワークに接続されたＰＣ（Personal Computer）等の外部装置との通信制御を行う。
【００２７】
画像読取部５０は、図２に示すように、ＡＤＦ（Auto Document Feeder）部１１とスキャナー部１２とを備えている。ＡＤＦ部１１は、原稿トレイ１１ａに載置された原稿を読取個所であるプラテンガラス１２ａに搬送する。ＡＤＦ部１１の原稿トレイ１１ａには、図示しない原稿有無検知センサーが設けられている。原稿有無検知センサーは、原稿トレイ１１ａ上の原稿の有無を検出し、当該検出信号を制御部１０に出力する。また、ＡＤＦ部１１の上蓋１１ｂのプラテンガラス１２ａに対向する面には、開閉検知部としての図示しない開閉センサーが設けられている。開閉センサーは、上蓋１１ｂの開閉状態を検出し、当該検出信号を制御部１０に出力する。
【００２８】
スキャナー部１２は、原稿を載置するプラテンガラス１２ａ、光源１２１及びミラー１２２を備える露光走査部１２ｂ、原稿からの光を受光しその光強度に応じた電気信号（画像信号）を出力するＣＣＤ等のイメージセンサー１２ｃ、イメージセンサー１２ｃに露光走査部１２ｂの走査光を導く光学系１２ｄ等を含んで構成される。露光走査部１２ｂ、イメージセンサー１２ｃ、光学系１２ｄはセンサーモジュールを構成している。
【００２９】
スキャナー部１２は、制御部１０からのスキャン指示に従って、プラテンガラス１２ａの読取箇所に搬送又は載置された原稿とセンサーモジュールとを主走査方向と直交する副走査方向に相対的に移動させることによって原稿の画像を読み取り、読み取ったＲ（レッド）、Ｇ（グリーン）、Ｂ（ブルー）の画像信号をＡ／Ｄ変換器を介して画像データに変換して画像処理部６０に出力する。画像データは、例えば、各色画素の濃度階調値を０〜２５５で表す。
【００３０】
画像処理部６０は、画像読取部５０から入力された画像データに各種画像処理を施して、Ｙ（イエロー）、Ｍ（マゼンダ）、Ｃ（シアン）、Ｋ（ブラック）の画像データとして画像形成部７０に出力する。画像処理部６０は、反射型媒体に記録された原稿の画像を読み取ることにより得られた画像データに対して画像処理を行うための反射型媒体用の画像処理部、及び、自発光媒体に表示された原稿の画像を読み取ることにより得られた画像データに画像処理を施すための有効画像領域抽出部６０１、地領域抽出部６０２、指紋領域抽出部６０３、指紋領域補正部６０４、階調変換部６０５、色変換部６０６等を有する。画像処理部６０の各部は、制御部１０のＣＰＵと記憶部３０に記憶されているプログラムとの協働によるソフトウエア処理により実現してもよいし、専用のハードウエアにより実現することとしてもよい。
【００３１】
画像形成部７０は、入力された画像データに基づいて、電子写真方式により用紙に画像形成を行う。図２に示すように、画像形成部７０は、露光ユニット２Ｙ、２Ｍ、２Ｃ、２Ｋと、現像ユニット３Ｙ、３Ｍ、３Ｃ、３Ｋと、感光体ドラム４Ｙ、４Ｍ、４Ｃ、４Ｋと、帯電部５Ｙ、５Ｍ、５Ｃ、５Ｋと、クリーニング部６Ｙ、６Ｍ、６Ｃ、６Ｋと、一次転写ローラー７Ｙ、７Ｍ、７Ｃ、７Ｋと、中間転写ベルト８と、ベルトクリーニング部９と、二次転写ローラー２１と、定着ユニット２２と、給紙部２５と、排紙ローラー２７を含む搬送部２６と、を備えて構成されている。
【００３２】
露光ユニット２Ｙ、２Ｍ、２Ｃ、２Ｋは、ＬＤ等のレーザ光源、ポリゴンミラー、複数のレンズ等から構成される。露光ユニット２Ｙ、２Ｍ、２Ｃ、２Ｋは、画像処理部６０から送られる画像データに基づいて、感光体ドラム４Ｙ、４Ｍ、４Ｃ、４Ｋの表面をレーザビームにより走査露光する。このレーザビームの走査露光により、帯電部５Ｙ、５Ｍ、５Ｃ、５Ｋによって帯電された感光体ドラム４Ｙ、４Ｍ、４Ｃ、４Ｋの画像形成位置に潜像が形成、すなわち画像が書き込まれる。感光体ドラム４Ｙ、４Ｍ、４Ｃ、４Ｋの画像形成位置とは、感光体ドラム上に潜像が形成される位置のことをいう。
【００３３】
感光体ドラム４Ｙ、４Ｍ、４Ｃ、４Ｋ上に形成された潜像は、対応する現像ユニット３Ｙ、３Ｍ、３Ｃ、３Ｋによる現像によって顕像化され、各感光体ドラム４Ｙ、４Ｍ、４Ｃ、４Ｋ上にはトナー像が形成される。
【００３４】
感光体ドラム４Ｙ、４Ｍ、４Ｃ、４Ｋ上に形成されて担持されたトナー像は一次転写ローラー７Ｙ、７Ｍ、７Ｃ、７Ｋにより、中間転写ベルト８上の所定位置に順次転写され、一次転写される。
トナー像の転写を終えた各感光体ドラム４Ｙ、４Ｍ、４Ｃ、４Ｋ上の表面は、クリーニング部６Ｙ、６Ｍ、６Ｃ、６Ｋによって残留トナーが除去される。
【００３５】
中間転写ベルト８は、複数のローラーに懸架され回転可能に支持された半導電性エンドレスベルトであり、ローラーの回転に伴って回転駆動される。
この中間転写ベルト８は、一次転写ローラー７Ｙ、７Ｍ、７Ｃ、７Ｋによりそれぞれの感光体ドラム４Ｙ、４Ｍ、４Ｃ、４Ｋに圧着される。これにより各感光体ドラム４Ｙ、４Ｍ、４Ｃ、４Ｋの表面に現像された各トナー像は、各一次転写ローラー７Ｙ、７Ｍ、７Ｃ、７Ｋにより順次中間転写ベルト８に転写（一次転写）される。一方、給紙部２５では制御部１０から指示された種類の用紙が給紙され、搬送部２６により二次転写ローラー２１による転写位置に搬送される。そして、二次転写ローラー２１による転写位置で、転写ローラー２１のローラー対が用紙を挟持搬送することにより用紙にカラー画像のトナー像が転写（二次転写）される。転写後、用紙は定着ユニット２２に搬送され、用紙に転写されたトナー像が熱定着され、排紙ローラー２７により排出トレイ２８に排出される。排紙ローラー２７は、用紙搬送経路上において定着ユニット２２の下流側に位置する搬送ローラーである。中間転写ベルト８の残留トナーはベルトクリーニング部９により除去される。
【００３６】
定着ユニット２２は、加熱ローラー２２ａ、加圧ローラー２２ｂ等の定着回転部材を備えて構成されている。定着回転部材は、画像形成済みの用紙を加熱しながら挟持搬送するための回転部材であり、上記のローラー対の他、定着ベルトを用いるもの等がある。
【００３７】
加熱ローラー２２ａは、その軸方向に延在するハロゲンランプヒーター等の加熱手段２２１を備える。加熱ローラー２２ａは、図示しないモーター等の回転駆動手段により駆動されることにより回転する。加圧ローラー２２ｂは、例えば、図示しないソレノイド等の圧着駆動手段により駆動されて加熱ローラー２２ａに圧着し、加熱ローラー２２ａとの間に定着ニップを形成する。このとき、加圧ローラー２２ｂは加熱ローラー２２ａの回転に伴って回転する。これにより、加熱ローラー２２ａと加圧ローラー２２ｂとは、用紙を定着ニップで挟持して搬送しながら加熱及び加圧して、用紙上のトナー像を溶融定着する。回転駆動手段や圧着駆動手段は、制御部１０により駆動制御される。
【００３８】
なお、加熱手段２２１としては、ハロゲンランプヒーターの他、誘導加熱ヒーターや抵抗発熱体を用いることとしてもよい。
【００３９】
（画像形成装置１の動作）
次に、画像形成装置１の動作について説明する。
図３に、コピーモードにおいて実行されるコピー制御処理のフローチャートを示す。コピー制御処理は、コピーモードにおいて操作表示部２０のスタートボタンが押下された際に、制御部１０により実行される。
【００４０】
なお、本実施の形態において、自発光媒体は、発光することによって表示をするスマートフォンやタブレット端末等の液晶画面であって、原稿を表示する画面内がモノクロ（グレースケール）、縁が黒の一般的な画面である場合を例にとり説明する。即ち、スキャナー部１２において自発光媒体に表示された原稿の画像を読み取ることにより得られる画像データの各画素のＲ、Ｇ、Ｂの値は同じであり、白〜黒の濃度階調で表される画像データとして扱うことができる。
【００４１】
コピー制御処理において、まず、制御部１０は、原稿を記録した媒体が自発光媒体であるか又は反射型媒体であるかを選択するための選択画面（図示せず）を操作表示部２０に表示させ、操作表示部２０からの選択を待機する（ステップＳ１）。操作表示部２０により自発光媒体が選択されると（ステップＳ１；ＹＥＳ）、制御部１０は、スキャナー部１２に光源１２１を消灯させてプラテンガラス１２ａ上の自発光媒体に表示された原稿の画像の読み取り（スキャン）を行わせる（ステップＳ２）。
【００４２】
次いで、制御部１０は、有効画像領域抽出部６０１に、スキャナー部１２から入力された画像データからの有効画像領域の抽出を行わせる（ステップＳ３）。自発光媒体又は原稿が不定形サイズの場合、スキャナー部１２からはプラテンガラス１２ａ全体領域の画像が読み取られ画像データとして取得されてしまう。この画像データは、画像化する必要のない不要な領域を含む。そこで、有効画像領域抽出部６０１は、スキャナー部１２から入力された画像データから自発光媒体の領域に相当する領域を有効画像領域として抽出する。自発光媒体の領域は、原稿が表示された画面領域であり、原稿の画像領域に相当する領域である。
【００４３】
ここで、原稿が記録された媒体が自発光媒体、又は反射型媒体であって不定形サイズの場合にスキャナー部１２から入力される画像データは、原稿が記録された媒体の種類（自発光媒体か反射型媒体か）、上蓋１１ｂの開閉状態、原稿が白抜きであるか否か、の条件によって異なる。図４は、上記の各条件でスキャナー部１２により読み取りを行ったときにスキャナー部１２から画像処理部６０に入力される画像データの内容を示している。ここで、白抜きとは、原稿の地の領域の濃度が高く（略黒）、文字や図画等の情報部の濃度が地の領域よりも低いことをいう。通常とは、白抜きとは逆に、原稿の地の領域の濃度が低く（略白）、文字や図画等の情報部の濃度が地の領域よりも高いことをいう。地の領域（地領域）は、原稿を記録した媒体の、文字等の情報部が載っていないベタな領域をいう。
【００４４】
図４の読取画像２０１は、自発光媒体に表示（記録）された通常の原稿を、上蓋１１ｂが閉じられた状態でスキャナー部１２によりスキャンした場合のスキャナー部１２からの画像データを示したものである。図４の読取画像２０２は、反射型媒体に記録された通常の原稿を、上蓋１１ｂが閉じられた状態でスキャナー部１２によりスキャンした場合のスキャナー部１２からの画像データを示したものである。
図４の読取画像２０３は、自発光媒体に表示された白抜きの原稿を、上蓋１１ｂが閉じられた状態でスキャナー部１２によりスキャンした場合のスキャナー部１２からの画像データを示したものである。図４の読取画像２０４は、反射型媒体に記録された白抜きの原稿を、上蓋１１ｂが閉じられた状態でスキャナー部１２によりスキャンした場合のスキャナー部１２からの画像データを示したものである。
図４の読取画像２０５は、自発光媒体に表示された通常の原稿を、上蓋１１ｂが開かれた状態でスキャナー部１２によりスキャンした場合のスキャナー部１２からの画像データを示したものである。図４の読取画像２０６は、反射型媒体に記録された通常の原稿を、上蓋１１ｂが開かれた状態でスキャナー部１２によりスキャンした場合のスキャナー部１２からの画像データを示したものである。
図４の読取画像２０７は、自発光媒体に表示された白抜きの原稿を、上蓋１１ｂが開かれた状態でスキャナー部１２によりスキャンした場合のスキャナー部１２からの画像データを示したものである。図４の読取画像２０８は、反射型媒体に記録された白抜きの原稿を、上蓋１１ｂが開かれた状態でスキャナー部１２によりスキャンした場合のスキャナー部１２からの画像データを示したものである。
【００４５】
図４に示すように、スキャナー部１２から入力される画像データは、原稿の種類が自発光媒体か反射型媒体かによって、他の条件が同じであっても全く異なるものとなる。そこで、有効画像領域抽出部６０１においては、自発光媒体に特化した、反射型媒体とは異なるアルゴリズムで有効画像領域を抽出する。図５に、有効画像領域抽出部６０１における有効画像領域抽出のフローチャートを示す。
【００４６】
まず、有効画像領域抽出部６０１は、制御部１０を介して入力される開閉センサーからの検知信号に基づいて、上蓋１１ｂが開いているか否かを判断する（ステップＳ３０１）。
上蓋１１ｂが開いていると判断した場合（ステップＳ３０１；ＹＥＳ）、有効画像領域抽出部６０１は、スキャナー部１２から入力された画像データから黒で囲まれた領域を抽出する（ステップＳ３０２）。ここでいう黒とは、例えば、画像データの最大の濃度値（Ｒ、Ｇ、Ｂの画像データでは、Ｒ、Ｇ、Ｂが全て０の値）又はその近傍の値である。
【００４７】
次いで、有効画像領域抽出部６０１は、抽出した黒で囲まれた領域が予め定められた基準面積以上であるか否かを判断する（ステップＳ３０３）。面積は、ここでは画素数で表す。ここで、上蓋１１ｂが開いた状態で、自発光媒体に表示された通常の原稿の画像を読み取った場合、スキャナー部１２から入力される画像データは、図４の読取画像２０５のようになる。読取画像２０５において黒い縁で囲まれた領域は、自発光媒体の領域（原稿が表示される画面領域）であり、ある一定以上の面積をもつ。一方、上蓋１１ｂが開いた状態で自発光媒体に表示された白抜きの原稿の画像を読み取った場合、スキャナー部１２から入力される画像データは図４の読取画像２０７のようになる。読取画像２０７においては、自発光媒体の領域と縁とが一体化して黒い領域を形成しており、黒で囲まれた領域は白抜き文字等の情報部のみのわずかな領域となり、一定面積に満たない。そこで、予め定められた基準面積（例えば、プラテンガラス１２ａの領域面積の１０％）を設け、黒で囲まれた領域の面積がこの基準面積以上となるか否かを判定することにより、入力された画像データが読取画像２０５に該当する画像データであるか又は読取画像２０７に該当する画像データであるかを識別することができる。
【００４８】
黒で囲まれた領域が予め定められた基準面積以上であると判断した場合（ステップＳ３０３；ＹＥＳ）、有効画像領域抽出部６０１は、黒で囲まれた領域内部を有効画像領域として抽出し、有効画像領域の座標情報を制御部１０に出力する（ステップＳ３０４）。
一方、黒で囲まれた領域が予め定められた基準面積に満たないと判断した場合（ステップＳ３０３；ＮＯ）、有効画像領域抽出部６０１は、黒領域全体（黒領域中の情報部を含む）を有効画像領域として抽出し、有効画像領域の座標情報を制御部１０に出力する（ステップＳ３０５）。ここでは、読取画像２０７に示すように自発光媒体とそのまわりの縁との区別がつかないため、縁を含めて有効画像領域として抽出する。
【００４９】
一方、上蓋１１ｂが開いていない（閉じている）と判断した場合（ステップＳ３０１；ＮＯ）、有効画像領域抽出部６０１は、スキャナー部１２から入力された画像データから黒以外の連続領域（黒以外の画素が連続している領域）を抽出する（ステップＳ３０６）。ここでいう黒とは、例えば、画像データの最大の濃度値（Ｒ、Ｇ、Ｂの画像データでは、Ｒ、Ｇ、Ｂが全て０の値）又はその近傍の値である。
【００５０】
次いで、有効画像領域抽出部６０１は、抽出した黒以外の連続領域が予め定められた基準面積以上であるか否かを判断する（ステップＳ３０７）。ここで、上蓋１１ｂが閉じた状態で自発光媒体に表示された通常の原稿の画像を読み取った場合、スキャナー部１２から入力される画像データは図４の読取画像２０１のようになる。読取画像２０１において黒以外の連続領域は自発光媒体の領域（画面領域）であり、ある一定以上の面積をもつ。一方、上蓋１１ｂが閉じた状態で自発光媒体に表示された白抜きの原稿の画像を読み取った場合、スキャナー部１２から入力される画像データは、図４の読取画像２０３のようになる。読取画像２０３においては、自発光媒体の領域、自発光媒体の周りの縁及びプラテンガラス１２ａの領域が一体化して黒い領域を形成しており、黒以外の連続領域は白抜き文字部分のみのわずかな領域となり、一定面積に満たない。そこで、予め定められた基準面積（例えば、プラテンガラス１２ａの領域面積の１０％）を設け、黒以外の連続領域の面積がこの基準以上となるか否かを判定することにより、入力された画像データが読取画像２０１に該当する画像データであるか読取画像２０３に該当する画像データであるかを識別することができる。
【００５１】
黒以外の連続領域が予め定められた基準面積以上であると判断した場合（ステップＳ３０７；ＹＥＳ）、有効画像領域抽出部６０１は、黒以外の連続領域（連続領域内部の黒領域を含む）を有効画像領域として抽出し、有効画像領域の座標情報を制御部１０に出力する（ステップＳ３０８）。
一方、黒以外の連続領域が予め定められた基準面積に満たないと判断した場合（ステップＳ３０７；ＮＯ）、有効画像領域抽出部６０１は、黒以外の画素を包括する最小の矩形領域を抽出し、この矩形の外周に一定の余裕を持たせた領域を有効画像領域として抽出し、有効画像領域の座標情報を制御部１０に出力する（ステップＳ３０９）。黒以外の画素を包括する最小の矩形領域は、黒以外の画素のうちもっとも外側にある画素を上下左右で求め、求められた４つの画素を上端、下端、右端、左端とした矩形領域である。
【００５２】
有効画像領域の抽出が終了すると、制御部１０は、地領域抽出部６０２に、有効画像領域抽出部６０１において抽出された有効画像領域の画像データから自発光媒体に表示された原稿の地領域の抽出を行わせる（ステップＳ４）。上述のように、自発光媒体に表示された原稿の地領域は、原稿が表示された画面領域の文字等の情報部が載っていないベタな領域であり、基本的に有効画像領域において面積が最大で略同一な画素値の領域となる。そこで、地領域抽出部６０２は、まず、有効画像領域の画像データに対し、階調を下げる処理を行う。例えば、画像データが２５６階調であれば、１２８階調、６４階調、又は１６階調に落とす。この処理により、ノイズ等の細かなデータ値のずれが除去され、地領域の画素値を均一とすることができる。次いで、地領域抽出部６０２は、階調を落とした後の有効画像領域において最も多い画素値を地の値と判定し、この地の値をもつ画素を地領域として抽出し、地の値及び地領域の座標情報を制御部１０に出力する。
【００５３】
地領域の抽出が終了すると、制御部１０は、指紋領域抽出部６０３に、有効画像領域抽出部６０１において抽出された有効画像領域から指紋領域の抽出を行わせる（ステップＳ５）。
ここで、紙などの反射型媒体は、あまり指紋汚れは目立たないが、自発光媒体は、指紋汚れが目立つ場合が多く、そのままコピーすると指紋汚れが印刷物に残ってしまう。そこで、ステップＳ５において、有効画像領域の画像データから指紋領域を抽出し、ステップＳ６において、指紋領域の汚れの補正を行う。自発光媒体上の指紋汚れは、その濃度は場合によって変わるが、画像データ上では略一定の周波数と変動強度をもっており、ウェーブレット変換等の周波数解析により特定可能となる。図６に、指紋領域抽出部６０３において実行される指紋領域抽出のフローチャートを示す。
【００５４】
図６に示すように、指紋領域抽出部６０３は、まず、有効画像領域の画像データを輝度データに変換する（ステップＳ５０１）。例えば、ＲＧＢをＹＣｒＣｂに変換し、Ｙ（輝度）データを取得することで、有効画像領域の輝度データを取得することができる。なお、輝度データではなく明度データに変換することとしてもよい。
【００５５】
次いで、指紋領域抽出部６０３は、取得された輝度データにウェーブレット変換を施す（ステップＳ５０２）。ウェーブレット（Wavelet）変換を施すことにより、入力信号（ここでは有効画像領域の輝度データ）を複数の周波数帯域成分に分解することができる。ウェーブレット変換は、特開２００４−１２７０６４に記載のように公知の手法であるので説明を省略する。  
【００５６】
次いで、指紋領域抽出部６０３は、ウェーブレット変換後データの特定周波数帯域の特定強度範囲内にある画素を抽出する（ステップＳ５０３）。指紋領域の画素は、ウェーブレット変換後データにおいて、ある特定の周波数帯域の特定強度範囲内の画素となる。この特定の周波数帯域と特定強度範囲は、実験的経験的に予め定められている。ステップＳ５０３の処理により、指紋領域候補を抽出することができる。
【００５７】
次いで、指紋領域抽出部６０３は、抽出した画素の統合処理を行い（ステップＳ５０４）、統合処理によって統合された領域が予め定められた基準面積以上であるか否かを判断する（ステップＳ５０５）。例えば、ステップＳ５０４では、単純領域拡張法等により、抽出された画素と抽出された画素が隣接している場合に両者を統合する処理を行う。予め定められた基準面積とは、実験的経験的に指紋とみなせる大きさのうち、下限の大きさである。
【００５８】
統合処理によって統合された領域が予め定められた基準面積以上であると判断した場合（ステップＳ５０５；ＹＥＳ）、指紋領域抽出部６０３は、統合された領域を指紋領域として抽出し、その座標情報を制御部１０に出力し（ステップＳ５０６）、ステップＳ５０８の処理に移行する。
統合処理によって統合された領域が予め定められた基準面積に満たないと判断した場合（ステップＳ５０５；ＮＯ）、指紋領域抽出部６０３は、その統合された領域を指紋領域ではないと判定し（ステップＳ５０７）、ステップＳ５０８の処理に移行する。
ステップＳ５０８においては、指紋領域抽出部６０３は、他に統合処理によって統合された領域があるか否かを判断する。他に統合された領域があると判断した場合（ステップＳ５０８；ＹＥＳ）、指紋領域抽出部６０３は、ステップＳ５０５の処理に戻る。他に統合された領域がないと判断した場合（ステップＳ５０８；ＮＯ）、指紋領域抽出部６０３は処理を終了する。
【００５９】
指紋領域の抽出が終了すると、制御部１０は、指紋領域補正部６０４に、指紋領域抽出部６０３により抽出された指紋領域の濃度補正を行わせる（ステップＳ６）。図７に、指紋領域補正部６０４において実行される指紋領域補正のフローチャートを示す。
【００６０】
指紋領域補正部６０４は、まず、指紋領域の座標情報を読み出す（ステップＳ６０１）。
次いで、指紋領域補正部６０４は、有効画像領域内の画像データから指紋領域内で地の上に指紋がついている領域を抽出し（ステップＳ６０２）、指紋領域を地の上の指紋領域（地の領域の上の指紋領域）と、それ以外の領域（地の領域以外の領域の上の指紋領域。例えば、文字等の情報部の上の指紋領域）に分離する（ステップＳ６０３）。地の上の指紋領域は、基本的には指紋領域内において面積が最大で略同一な画素値となる。そこで、ステップＳ６０２においては、指紋領域の画像データに対し、階調を下げる処理を行う。例えば、画像データが２５６階調であれば、１２８階調、６４階調、又は１６階調に落とす。これにより、ノイズ等の細かなデータ値のずれを除去することができる。そして、指紋領域内で最も多い画素値を地の上の指紋領域の値と判定し、この値をもつ画素を地の上の指紋領域として抽出する。
【００６１】
次いで、指紋領域補正部６０４は、地の上の指紋領域の濃度平均と、指紋がついていない地領域の濃度平均との差分を算出する（ステップＳ６０４）。例えば、差分の絶対値を算出する。
【００６２】
次いで、指紋領域補正部６０４は、指紋領域内の画素について、地の上の指紋領域の画素であるか否かを判断する（ステップＳ６０５）。地の上の指紋領域の画素であると判断した場合（ステップＳ６０５；ＹＥＳ）、指紋領域補正部６０４は、その画素の画素値を地の領域の濃度の値に変換する（ステップＳ６０６）。即ち、ステップＳ４で抽出された地領域の濃度の値（地の値）に変換する。地の上の指紋領域の画素ではないと判断した場合（ステップＳ６０５；ＮＯ）、指紋領域補正部６０４は、その画素に対し、ステップＳ６０４で算出された差分値に基づいて、指紋汚れによる濃度変化分の濃度補正を行う（ステップＳ６０７）。指紋領域内の全ての画素についてステップＳ６０５〜ステップＳ６０７の処理を実行する。
【００６３】
指紋領域内の全ての画素についての処理が終了すると（ステップＳ６０８；ＹＥＳ）、制御部１０は、他にも指紋領域が存在するか否かを判断する（ステップＳ６０９）。他にも指紋領域が存在すると判断した場合（ステップＳ６０９；ＹＥＳ）、制御部１０は、ステップＳ６０１の処理に戻り、他の指紋領域についてステップＳ６０１〜ステップＳ６０８の処理を繰り返し実行する。他に指紋領域が存在しないと判断した場合（ステップＳ６０９；ＮＯ）、指紋領域補正部６０４は、処理を終了する。
【００６４】
指紋領域補正が終了すると、制御部１０は、有効画像領域の画像データの地領域とその他の領域の濃度を比較し、地領域の色の方が濃度が低いか否かを判断する（ステップＳ７）。
地領域の方が濃度が低いと判断した場合（ステップＳ７；ＹＥＳ）、制御部１０は、指紋領域補正後の有効画像領域の画像データに対し、階調変換部６０５により階調変換処理を実行させる（ステップＳ８）。ステップＳ８において、階調変換部６０５は、指紋領域補正後の有効画像領域の画像データの地領域を白に、地以外の領域の最高濃度部を黒に変換する。また、地以外の領域の、最高濃度部以外の領域については、各画素の値に、最高濃度部を黒に変換するために乗算した変換係数を掛け合わせる。
地領域の方が濃度が高いと判断した場合（ステップＳ７；ＮＯ）、制御部１０は、階調変換部６０５に、指紋領域補正後の有効画像領域の画像データにおける地領域と地領域以外の領域とで明るさを反転させた後（ステップＳ９）、階調変換処理を実行させる（ステップＳ１０）。具体的に、ステップＳ９において、階調変換部６０５は、地領域と地領域以外の領域（即ち、有効画像領域全体）の各画素の階調を反転させる。ステップＳ１０において、階調変換部６０５は、有効画像領域の画像データの地領域を白に、地以外の領域の最高濃度部（階調反転後の最高濃度部）を黒に変換する。また、地以外の領域の、最高濃度部以外の領域については、各画素の値に、最高濃度部を黒に変換するために乗算した変換係数を掛け合わせる。
【００６５】
階調変換処理の終了後、制御部１０は、色変換部６０６により階調変換後の画像データをＣ，Ｍ，Ｙ，Ｋの画像データに色変換させ（ステップＳ１３）、色変換後の画像データに基づいて、画像形成部７０により用紙に画像を形成させ（ステップＳ１４）、本処理を終了する。
【００６６】
一方、ステップＳ１において、反射型媒体が選択された場合（ステップＳ１；ＮＯ）、制御部１０は、スキャナー部１２に光源１２１を点灯させて原稿の画像の読み取りを行わせる（ステップＳ１１）。次いで、制御部１０は、画像処理部６０に、反射型媒体用の画像処理を行わせ（ステップＳ１２）、色変換部６０６により画像データをＣ，Ｍ，Ｙ，Ｋの画像データに色変換させ（ステップＳ１３）、色変換後の画像データに基づいて、画像形成部７０により用紙に画像を形成させ（ステップＳ１４）、本処理を終了する。反射型媒体用の画像処理は、従来から行われている公知の処理であるので説明を省略する。
【００６７】
以上説明したように、上記実施の形態における画像形成装置１によれば、操作表示部２０により自発光媒体が選択された場合に、制御部１０は、画像読取部５０に光源１２１を消灯させて自発光媒体に表示された原稿の画像の読み取りを行わせ、地領域抽出部６０２は、画像読取部５０により取得された画像データから自発光媒体に表示された原稿の地の領域を抽出し、階調変換部６０５は、地領域抽出部６０２により抽出された地の領域を白に変換する。
従って、自発光媒体に表示された原稿を光学的に読み取った場合に、地の領域に対して文字や図画等の情報がはっきりした見やすい画像を得ることが可能となる。
【００６８】
また、画像形成装置１は、画像読取部５０により取得された画像データから自発光媒体の領域に相当する有効画像領域を抽出する有効画像領域抽出部６０１を備え、地領域抽出部６０２は、有効画像領域抽出部６０１により抽出された有効画像領域から地の領域を抽出する。従って、画像読取部５０により取得された画像データから地の領域を容易に抽出することが可能となる。
【００６９】
また、階調変換部６０５は、更に、有効画像領域中の最高濃度が黒となるように地領域以外の画像データの階調変換を行う。従って、白地に対して最高濃度部が黒となるので、地の領域に対して文字や図画等の情報がよりはっきりした見やすい画像を得ることが可能となる。
【００７０】
また、階調変換部６０５は、更に、白に変換する前の地の領域の濃度に対して有効画像領域中の地の領域以外の他の領域の濃度が低い場合は、地の領域と地の領域以外の他の領域とで明るさが反転するように変換を行った上で、地の領域を白に変換する。従って、例えば、原稿が白抜き文字の場合においても、地の領域に対して文字や図画等の情報がはっきりした見やすい画像を得ることが可能となる。
【００７１】
また、有効画像領域抽出部６０１は、開閉検知部により上蓋１１ｂが閉じていると検知された状態で画像読取部５０により原稿の画像の読み取りが行われた場合において、画像読取部５０により取得された画像データに黒以外の領域が予め定められた基準面積以上連続して存在する場合は、その領域を前記有効画像領域として抽出し、黒以外の領域が予め定められた基準面積以上連続して存在しない場合には、散在する前記黒以外の領域を包括する矩形領域を前記有効画像領域として抽出する。
また、有効画像領域抽出部６０１は、開閉検知部により上蓋１１ｂが開いていると検知された状態で画像読取部５０により原稿の画像の読み取りが行われた場合において、画像読取部５０により取得された画像データに黒で囲まれた領域が予め定められた基準面積以上存在する場合は、その領域を有効画像領域として抽出し、黒で囲まれた領域が予め定められた基準面積以上存在しない場合には、黒の領域を有効画像領域として抽出する。
従って、自発光媒体に表示された原稿の画像を読み取ることにより得られた画像から有効画像領域を適切に抽出することが可能となる。
【００７２】
また、画像形成装置１は、有効画像領域抽出部６０１により抽出された有効画像領域から指紋領域を抽出する指紋領域抽出部６０３と、指紋領域抽出部６０３により抽出された指紋領域を、地の領域の上の指紋領域と、その他の指紋領域に分離し、地の領域の上の指紋領域の濃度を地の領域の濃度に変換し、その他の指紋領域に指紋汚れによる濃度変化分の濃度補正を実施する指紋領域補正部６０４と、を備える。従って、指紋がつきやすい自発光媒体に表示された原稿の画像を読み取った場合であっても指紋汚れのない見栄えのよい画像を得ることが可能となる。
【００７３】
なお、上記実施の形態における記述は、本発明に係る画像形成装置の好適な一例を示すものであり、これに限定されるものではない。
【００７４】
例えば、上記実施の形態においては、処理を容易にするために、スキャナー部１２により取得された画像データから有効画像抽出部６０１により有効画像領域を抽出し、抽出した有効画像領域から原稿の地の領域を抽出したり、指紋領域を抽出したり、各種階調変換を施したりしたが、有効画像抽出部６０１による有効画像領域の抽出は必須ではない。
即ち、地領域抽出部６０２は、スキャナー部１２により取得された画像データから原稿の地の領域を抽出するものであればよい。指紋領域抽出部６０３は、スキャナー部１２により取得された画像データの原稿の画像から指紋領域を抽出するものであればよい。階調変換部６０５は、スキャナー部１２により取得された画像データにおける原稿の画像に対して各種階調変換処理を施すものであればよい。
【００７５】
また、上記実施の形態においては、画像形成装置１でコピーする自発光媒体の画面内がモノクロ（グレースケール）である場合を例にとり説明したが、カラーの画面であってもよい。この場合、コピー制御処理の処理フローは上記実施の形態と同様であるが、いくつかのステップにおいて、カラーである（Ｒ、Ｇ、Ｂの値が異なる場合がある）ことを考慮した処理が行われる。
例えば、図７のステップＳ６０４の地の上の指紋領域の濃度平均と地領域の濃度平均との差分値の算出は、Ｒ、Ｇ、Ｂのそれぞれについて濃度平均の差分値を算出する。図７のステップＳ６０７においては、地の上以外の指紋領域におけるＲ、Ｇ、Ｂそれぞれの値を算出されたそれぞれの差分値に基づいて補正する。また、図３のステップＳ７における地の方が濃度が低いか否かの判定、及び図３のステップＳ８及びＳ１０における最高濃度部の抽出は、カラーの画像データをグレースケールに変換して行う。また、図３のステップＳ８及びＳ１０において最高濃度部が黒になるように地以外の領域を階調変換する際には、グレースケールに変換した場合に画像データの最高濃度部となる画素の値を黒にするための変換係数をＲ、Ｇ、Ｂ毎に算出し、地領域以外のＲ、Ｇ、Ｂのそれぞれの画素値にこの係数を掛け合わせる。更に、図３のステップＳ９の、地領域と地領域以外の領域との明るさが反転するように階調を反転させる処理については、予めＲ、Ｇ、Ｂの各組み合わせに対して明るさが反転するＲ、Ｇ、Ｂの組み合わせを定義してＬＵＴ（Look Up Table）として記憶部３０に記憶しておき、このＬＵＴを用いて変換する。
【００７６】
また、自発光媒体がカラー画面の場合、スキャナー部１２により取得されたＲ、Ｇ、Ｂの画像データをグレースケールに変換して上記実施の形態と同様の処理を行うこととしてもよい。
また、上記実施の形態においては、画像形成装置１がカラーの画像形成装置である場合を例にとり説明したが、モノクロの画像形成装置によっても本発明を実現することができる。また、上記実施の形態においては、画像形成装置１を電子写真方式の画像形成装置としたが、例えば、インクジェット方式等、他の方式の画像形成装置としてもよい。
【００７７】
また、上記実施の形態においては、本発明を画像形成装置１のコピーモードに適用した場合を例にとり説明したが、本発明は、図１の画像形成部７０を持たない画像読取装置やスキャナーモードにおいても適用可能である。画像読取装置やスキャナーモードにおいては、図３のステップＳ１〜Ｓ１０の処理を実行後、得られた画像データを通信部４０を介してＰＣ（Personal Computer）等の外部機器に送信する動作となる。
【００７８】
また、上記の説明では、本発明に係るプログラムのコンピュータ読み取り可能な媒体として、ＲＯＭ、不揮発性メモリー、ハードディスク等を使用した例を開示したが、この例に限定されない。その他のコンピュータ読み取り可能な媒体として、ＣＤ−ＲＯＭ等の可搬型記録媒体を適用することが可能である。また、本発明に係るプログラムのデータを通信回線を介して提供する媒体として、キャリアウエーブ（搬送波）も適用される。
【００７９】
その他、画像形成装置１の細部構成及び細部動作に関しても、本発明の趣旨を逸脱することのない範囲で適宜変更可能である。
【符号の説明】
【００８０】
１  画像形成装置
１０  制御部
２０  操作表示部
３０  記憶部
４０  通信部
５０  画像読取部
１１  ＡＤＦ部
１１ａ  原稿トレイ
１１ｂ  上蓋
１２  スキャナー部
１２ａ  プラテンガラス
１２ｂ  露光走査部
１２１  光源
１２２  ミラー
１２ｃ  イメージセンサー
１２ｄ  光学系
６０  画像処理部
６０１  有効画像領域抽出部
６０２  地領域抽出部
６０３  指紋領域抽出部
６０４  指紋領域補正部
６０５  階調変換部
６０６  色変換部
７０  画像形成部
８０  バス
【図１】
2014204272.tif 000003
【図２】
2014204272.tif 000004
【図３】
2014204272.tif 000005
【図４】
2014204272.tif 000006
【図５】
2014204272.tif 000007
【図６】
2014204272.tif 000008
【図７】
2014204272.tif 000009